(57)【要約】【課題】構造が簡単で組み付けが容易な低コストの操作部筐体の支持構造を有するレンジフードを提供する。【解決手段】このレンジフード８０の支持構造は、操作部筐体５２の下面の受光窓５６ａに相当する位置に受光窓枠体６０を突出して設ける。そして、この受光窓枠体６０を前枠体４０ａの受光窓５６ａに嵌入し、この状態で操作部筐体５２を前枠体４０ａに固定する。これにより、受光窓枠体６０は受光窓５６ａを貫通し、操作部筐体５２は受光窓枠体６０を介して受光窓５６ａの内側面で支持される。このため、ユーザが操作スイッチ部材５４を押圧した場合でも、受光窓５６が受光窓枠体６０の移動を制限して操作部筐体５２の撓みは防止され、操作スイッチ部材５４が内側に凹むことはない。【選択図】図３
2018146132.tif 000002
【特許請求の範囲】
【請求項１】
回転により排煙を吸引するファンと、
前記ファンを回転させるモータと、
排煙を捕集するフードと、
前記フードの前枠体に収容された操作部筐体と、
前記操作部筐体の前面に設置された操作スイッチ部材と、
前記操作部筐体に下方を向けて設置された受光部材と、
前記前枠体の前面に形成され前記操作スイッチ部材を露出させる開口部と、
前記前枠体の下面に形成され前記受光部材の受光面側を開口する受光窓と、を有するレンジフードにおいて
前記操作部筐体の下面に受光窓枠体を突出して設け、前記受光窓枠体を前記受光窓に嵌入することで前記操作部筐体を支持することを特徴とするレンジフード。
【発明の詳細な説明】
【技術分野】
【０００１】
本発明は、レンジフードの操作部の支持構造に関するものである。
【背景技術】
【０００２】
レンジフードは、ガスコンロ、ＩＨクッキングヒータ等の加熱調理器具の上方に設置され、調理等で発生する煙、臭気、熱、水蒸気等の排煙を吸引、捕集して屋外等に排出するものである。そして、一般的なレンジフードは、回転により排煙を吸引するファンと、このファンを回転させるモータと、加熱調理器具の上方に位置し排煙を捕集するフードと、を有している。そして、レンジフードの操作部はフードの前面に設けることが多い。
【０００３】
また、近年のレンジフードはリモコンによる操作やＩＨクッキングヒータ等から出力される信号の受信、加熱調理器具の発熱の感知等により動作する機種も開発されている。そして、これらの信号伝達及び温度感知には赤外線を用いることが多い。従って、このようなレンジフードでは赤外線の受光部材を備え、この受光部材はフード前部（前枠体）の下面中央部に設置することが好ましい。このようなレンジフードの例として下記［特許文献１］では、操作スイッチ部材と受光部材（特許文献１における赤外線センサー）とを１つの操作部筐体内の近傍に配置することで、部品点数の削減と配線ケーブルの短縮化によりコストの低減を行うことが記載されている。
【０００４】
また、近年はスタイリッシュなキッチン設備の要望が強く、レンジフードに関しても優れたデザイン性が要求される。このため、ビス等の部材をユーザの目に付く箇所に露出させることは外観上好ましい事ではない。特に、操作部のある前枠体はユーザが最も目を引く箇所であり、この位置にビス等を露出させることは極力避ける必要がある。このため、操作部筐体の固定は比較的スペースに余裕のある操作部筐体の両端部でビスが露出しない状態で行う事が好ましい。しかしながら、操作部筐体を両端部のみで固定した場合、特にユーザが前枠体の中央部の操作スイッチを押圧する際に操作部筐体が撓み内側に凹む可能性がある。
【０００５】
この問題点に対し、本願発明者らは図４、図５に示すような支持部材を設け、操作部筐体の撓みを防止している。ここで、図４は従来の支持部材を備えたレンジフード１０の前部を下方向から見た模式的な図であり、図５は従来のレンジフード１０の前枠体４０ａの模式的な拡大断面図である。
【０００６】
先ず、レンジフード１０を構成するフード４０は、底面４２と、この底面４２の四方を囲む前枠体４０ａ、側枠体４０ｂ、後枠体４０ｃ（図示せず）とを有している。そして、このうち前枠体４０ａの内部には操作部筐体５２が収容される。また、操作部筐体５２には、前面に操作スイッチ部材５４が設置され、操作部筐体５２の略中央部には受光部材５６が受光面を下方に向けて固定される。また、操作部筐体５２には図示しない制御基板や配線ケーブル、その他の電装部材が設置される。また、操作部筐体５２を収容する前枠体４０ａの前面には所定の寸法の開口部５４ａが形成され、操作スイッチ部材５４の操作面はこの開口部５４ａを通して露出する。また、前枠体４０ａの下面には所定の寸法の開口が受光窓５６ａとして形成され、この受光窓５６ａを通して受光部材５６に赤外線信号等が入射する。尚、この受光窓５６ａは暗色で透光性を有するカバー部材で閉塞し、前枠体４０ａの内部を目視不能とすることが好ましい。そして、操作部筐体５２は図４に示すように、比較的スペースに余裕のある操作部筐体５２の両端部で例えばビス２によって前枠体４０ａに固定される。このビス２による固定は、ビス２がフード４０の表面から露出しないように行われる。
【０００７】
また、従来のレンジフード１０では操作部筐体５２の支持部材として以下の構成を有している。先ず、図４、図５に示すように、前枠体４０ａ内部の中央上面には、本体側ステー１４がスポット溶接等により固定している。また、この本体側ステー１４はネジ孔を有するとともに、所定の角度に屈曲している。そして、本体側ステー１４のネジ孔には支持板１２がビス止めされる。尚、前述のように本体側ステー１４は所定の角度に屈曲しているため、支持板１２は前枠体４０ａの上面奥側から底面手前側に斜めに架け渡される。また、支持板１２の先側は所定の角度に屈曲しており、この屈曲部が操作部筐体５２の奥面に当接する。また、支持板１２の先端は前枠体４０ａ側で支持され、これにより操作部筐体５２の中央部奥面は支持板１２を介して前枠体４０ａによって支持される。これにより、ユーザが操作スイッチ部材５４を押圧した場合でも操作部筐体５２は支持板１２、本体側ステー１４によって支持されて、操作部筐体５２が撓むことはない。
【先行技術文献】
【特許文献】
【０００８】
【特許文献１】特開２０１２−１７７４９６号公報
【発明の概要】
【発明が解決しようとする課題】
【０００９】
しかしながら、上記の支持構造は本体側ステー１４、支持板１２、ビス等の部材が必要で、且つ狭い前枠体４０ａ内で本体側ステー１４のスポット溶接や支持板１２の組み付け等を行う必要がある。このため、部材コスト、作業コストの増大を招くという問題点がある。
【００１０】
本発明は上記事情に鑑みてなされたものであり、構造が簡単で組み付けが容易な低コストの支持構造を有するレンジフードを提供することを目的とする。
【課題を解決するための手段】
【００１１】
本発明は、
（１）回転により排煙を吸引するファン３０と、前記ファン３０を回転させるモータ３２と、排煙を捕集するフード４０と、前記フード４０の前枠体４０ａに収容された操作部筐体５２と、前記操作部筐体５２の前面に設置された操作スイッチ部材５４と、前記操作部筐体５２に下方を向けて設置された受光部材５６と、前記前枠体４０ａの前面に形成され前記操作スイッチ部材５４を露出させる開口部５４ａと、前記前枠体４０ａの下面に形成され前記受光部材５６の受光面側を開口する受光窓５６ａと、を有するレンジフードにおいて
前記操作部筐体５２の下面に受光窓枠体６０を突出して設け、前記受光窓枠体６０を前記受光窓５６ａに嵌入することで前記操作部筐体５２を支持することを特徴とするレンジフード８０を提供することにより、上記課題を解決する。
【発明の効果】
【００１２】
本発明に係るレンジフードは、操作部筐体の下面から受光窓枠体を突出して設け、この受光窓枠体を前枠体の受光窓に嵌入することで操作部筐体を支持する。このため、部材コストの削減を図ることができる。また、組み付けが容易で作業性が良く、作業コストの削減を図ることができる。
【図面の簡単な説明】
【００１３】
【図１】本発明に係るレンジフードの基本構成を説明する図である。
【図２】本発明に係るレンジフードの前部を示す図である。
【図３】本発明に係るレンジフードの前枠体の模式的な拡大断面図である。
【図４】従来のレンジフードの前部を示す図である。
【図５】従来のレンジフードの前枠体の模式的な拡大断面図である。
【発明を実施するための形態】
【００１４】
本発明に係るレンジフード８０の実施の形態について図面に基づいて説明する。ここで、図１（ａ）は本発明に係るレンジフード８０の斜視図であり、図１（ｂ）はレンジフード８０の模式的な断面図である。また、図２は本発明に係るレンジフード８０の前部を下方向から見た模式的な図であり、図３はレンジフード８０の前枠体４０ａの模式的な拡大断面図である。尚、従来のレンジフード１０の同等の構成に関しては同符号にて表す。
【００１５】
先ず、レンジフード８０の基本的な構成を図１を用いて説明する。尚、本発明は操作部筐体５２の支持構造に特徴を有するものであるから、レンジフード８０の基本構成は下記の例に限定されるものではなく、どのような構成のものを用いても良い。
【００１６】
図１に示す本発明に係るレンジフード８０は、回転により排煙を吸引するファン３０と、このファン３０を回転させる周知のモータ３２と、ファン３０の下方に設置され吸気口として機能するベルマウス２０と、排気口２２を有するとともにファン３０を収容するケーシング２４と、加熱調理器具の上方を覆うように配置され加熱調理器具から立ち上る煙、臭気、熱、水蒸気等の排煙を捕集するフード４０と、を基本構成として有している。
【００１７】
尚、レンジフード８０のファン３０は略円筒状で側面が複数の羽で構成された所謂シロッコファンを用いることが好ましいが、特にこの構成に限定されるものではない。また、本例ではファン３０が水平方向に回転する横置き型のレンジフード８０を例に説明を行うが、本発明は縦置き式ファンのレンジフード８０にも適用が可能である。
【００１８】
そして、本発明に係るレンジフード８０を構成するフード４０の底面４２は前枠体４０ａ、側枠体４０ｂ、後枠体４０ｃで四方が囲われるとともに、底面４２の所定の位置には吸気口としてのベルマウス２０が固定する。また、底面４２の下方には吸気効率を向上させるための整流板２６が設置される。そして、ユーザ等の操作によりモータ３２が回転動作するとファン３０が回転する。これにより、レンジフード８０は加熱調理器具から立ち上る排煙を整流板２６とフード４０の枠体（前枠体４０ａ、側枠体４０ｂ、後枠体４０ｃ）との間を通して吸引、捕集する。そして、ベルマウス２０、ファン３０、ケーシング２４、排気口２２を介して屋外等に排気する。
【００１９】
また、前枠体４０ａの内部には、図２、図３に示すように、操作部筐体５２が固定される。このときの操作部筐体５２の固定は、操作部筐体５２の両端近傍で例えばビス２等によって行うことが好ましい。また、ビス２による固定は、ビス２がフード４０の表面から露出しないように行うことが好ましい。また、操作部筐体５２は例えば合成樹脂で形成され、操作部筐体５２の前面の所定の位置には操作スイッチ部材５４が固定する。また、操作部筐体５２の所定の位置には受光面が下方を向くように受光部材５６が固定する。さらに、操作部筐体５２には図示しない制御基板や配線ケーブル、その他の電装部材が設置される。尚、受光部材５６は受光範囲を広くとるために操作部筐体５２（前枠体４０ａ）の略中央部に設けることが好ましい。
【００２０】
操作部筐体５２に固定される操作スイッチ部材５４はユーザがレンジフード８０のオン・オフや風量の強弱等を操作するためのものであり、周知のスイッチ部材を用いることができる。また、受光部材５６は赤外線信号等の所定の光を受光して図示しない制御部に出力する周知の部材を用いることができる。尚、操作スイッチ部材５４が比較的小型のものの場合には、操作スイッチ部材５４を受光部材５６の近傍に設けることが好ましい。この構成では、電装部がコンパクト化して基板の共有化やケーブルの短縮等が可能となり、部品コストの削減を図ることができる。また、操作スイッチ部材５４と受光部材５６とを近接配置することで、ユーザの押圧位置の近傍で後述の受光窓枠体６０による支持が可能となり、極めて効果的な支持構造を構築することができる。
【００２１】
ここで、受光部材５６の適用例としては、下記の３つが挙げられる。先ず、１つ目はレンジフード８０に対するリモコン操作に適用した例である。この適用例では受光部材５６がリモコンからの赤外線操作信号を受信して制御部に出力し、制御部は受信した赤外線操作信号に応じてレンジフード８０のオン・オフや強弱等を変化させる。この構成では、ユーザは離れた位置からレンジフード８０を操作することが可能となる。２つ目は加熱調理器具側からの自動運転制御に適用した例である。この適用例では、例えばＩＨクッキングヒータ等の加熱調理器具側が赤外線信号発信装置を備え、加熱調理器具の動作に応じた赤外線操作信号を出力する。そして、受光部材５６はこの加熱調理器具からの赤外線操作信号を受信して制御部に出力し、制御部は受信した赤外線操作信号に応じてレンジフード８０のオン・オフや強弱等を変化させる。この構成では加熱調理器具の動作と連動してレンジフード８０を動作させることができる。３つ目は加熱調理器具側の温度を感知しての自動運転に適用した例である。この適用例では受光部材５６として周知の赤外線温度センサーを用い、受光部材５６を介して加熱調理器具の温度を取得する。そして、制御部は受光部材５６が取得した温度に基づいて加熱調理器具の動作状況を判定しレンジフード８０のオン・オフや強弱等を変化させる。この構成では加熱調理器具側が赤外線信号送信装置を備えていない場合でも、加熱調理器具の動作と連動してレンジフード８０を動作させることができる。
【００２２】
また、前枠体４０ａの前面の操作スイッチ部材５４に相当する部位には、操作スイッチ部材５４の操作面と略同等な寸法の開口部５４ａが形成され、操作スイッチ部材５４の操作面はこの開口部５４ａを通して露出する。また、前枠体４０ａの下面の受光部材５６に相当する部位には所定の寸法の受光窓５６ａが形成され、この受光窓５６ａを通して受光部材５６に赤外線信号等が入射する。尚、この受光窓５６ａは受光部材５６の受光範囲を広げるために比較的大きく形成することが好ましい。また、受光窓５６ａは透光性を有し黒等の暗色のガラスもしくはプラスチックのカバー部材により閉塞し、前枠体４０ａ内部を目視不能とすることが好ましい。
【００２３】
次に、本発明の特徴である支持構造に関して説明を行う。本発明に係るレンジフード８０の支持構造は、操作部筐体５２の下面の受光窓５６ａに相当する位置に受光窓枠体６０を突出して設ける。尚、この受光窓枠体６０は受光窓５６ａとほぼ同形状で所定の厚みの枠体とし、さらに受光窓枠体６０の外形寸法を受光窓５６ａの内形寸法と略同一とすることが好ましい。また、この受光窓枠体６０の突出量は操作部筐体５２を前枠体４０ａに固定したときに、受光窓枠体６０が受光窓５６ａを貫通して前枠体４０ａの下面から確実に突出する長さとする。尚、受光窓枠体６０は個別に作製して操作部筐体５２に固定しても良いし、例えば合成樹脂等により操作部筐体５２と一体的に成型しても良い。
【００２４】
そして、この受光窓枠体６０を前枠体４０ａの受光窓５６ａに嵌入し、この状態で操作部筐体５２を前枠体４０ａに固定する。これにより、受光窓枠体６０は受光窓５６ａを貫通し、操作部筐体５２は受光窓枠体６０を介して受光窓５６ａの内側面で支持される。このため、ユーザが操作スイッチ部材５４を押圧した場合でも、受光窓５６が受光窓枠体６０の移動を制限して操作部筐体５２の撓みは防止され、操作スイッチ部材５４が内側に凹むことはない。
【００２５】
また、本発明に係る支持構造は操作部筐体５２の下面から突出した受光窓枠体６０で構成されるため、従来のレンジフード１０の支持構造と比較して部品点数が少なく、部材コストの削減を図ることができる。また、本発明に係る支持構造は操作部筐体５２に設けられた受光窓枠体６０を受光窓５６ａに嵌入することで構築するため組み付けが容易で作業性が良く、工程数の削減と製造時間の短縮が可能となり、作業コストの削減を図ることができる。
【００２６】
尚、前述のように本例で示したレンジフード８０の各部の形状、デザイン、寸法、構成、機能等は一例であり上記の例に限定されるわけでは無く、本発明は本発明の要旨を逸脱しない範囲で変更して実施することが可能である。
【符号の説明】
【００２７】
３０    ファン
３２    モータ
４０    フード
４０ａ  前枠体
５２    操作部筐体
５４    操作スイッチ部材
５４ａ  開口部
５６    受光部材
５６ａ  受光窓
６０    受光窓枠体
８０    レンジフード
【図１】
2018146132.tif 000003
【図２】
2018146132.tif 000004
【図３】
2018146132.tif 000005
【図４】
2018146132.tif 000006
【図５】
2018146132.tif 000007